(57)【要約】【課題】水洗トイレの貯水タンクに設置することにより、貯水タンク内の水に、所定量の薬液を安定的に混合することのできる薬液吐出容器を提供する。【解決手段】薬液吐出容器１００Ａが、薬液Ａを収容する薬液タンク１、薬液タンク１内を外気と連通させる空気孔（空気流入筒７）及び薬液吐出孔６からなる。薬液吐出孔６は、弁体１０Ａを備える。この弁体１０Ａは、水洗トイレの貯水タンク３０内の水位の変化により該貯水タンク３０内で昇降する浮き２０Ａに紐状部材２１で繋がれ、浮き２０Ａの昇降に伴って薬液吐出孔６を開閉する。【選択図】    図１
2004183308.tif 000002
【特許請求の範囲】
【請求項１】
薬液を収容する薬液タンク、薬液タンク内を外気と連通させる空気孔及び薬液吐出孔からなる薬液吐出容器であって、薬液吐出孔が弁体を備え、該弁体が、水洗トイレの貯水タンク内の水位の変化により該貯水タンク内で昇降する浮きに紐状部材で繋がれ、該浮きの昇降に伴って開閉する薬液吐出容器。
【請求項２】
空気孔が、薬液タンク内で該薬液タンクの底面に起立した筒によって形成されている請求項１記載の薬液吐出容器。
【請求項３】
弁体が、薬液タンクの底部に開口した薬液吐出孔に対向するシール材、シール材の保持部材及び保持部材に保持されたシール材を薬液吐出孔に付勢するバネ材からなる請求項１記載の薬液吐出容器。
【請求項４】
薬液タンクを貯水タンク内に掛止する掛止部材を備えた請求項１記載の薬液吐出容器。
【請求項５】
請求項１〜４のいずれかに記載の薬液吐出容器の薬液タンクに薬液が収容されてなる薬液吐出具。
【発明の詳細な説明】
【０００１】
【発明の属する技術分野】
本発明は、水洗トイレの貯水タンク上の手洗い部又は貯水タンク内に設置し、貯水タンク内の水に薬液を混合するのに適した薬液吐出容器に関する。
【０００２】
【従来の技術】
従来、水洗トイレの手洗い付ロータンクの手洗い部に載置し、手洗い部の上方のカランから供給される水に薬剤を混合するために用いる薬液吐出具として、薬液を収容したボトルの下方に、カランから給水された水を一時的に貯える室を設け、その室内にフロート弁を設け、フロート弁の昇降によりボトルの薬液の放出孔を開閉し、その室内に吐出された薬液が貯水タンクに流出するようにした芳香洗浄液滴下装置が知られている（特許文献１）。
【０００３】
【特許文献１】実公平６−３４４５７号公報
【０００４】
【発明が解決しようとする課題】
しかしながら、フロート弁を昇降させるために、薬液を収容したボトルの下方に、カランから給水された水を一時的に貯える室を設けなくてはならず、構造が複雑である。
【０００５】
これに対し、本発明は、より簡易な構造で、芳香剤、洗浄剤、殺菌剤等の薬液を貯水タンク内の水に安定的に混合させることのできる薬液吐出容器を提供することを目的とする。
【０００６】
【課題を解決するための手段】
本発明者は、貯水タンク内の水位の変化に応じて昇降する浮きを紐状部材で弁体と繋ぎ、その弁体により、薬液を収容した薬液タンクの薬液吐出孔が開閉されるようにすると、水洗トイレのフラッシュに伴い、貯水タンクへ安定的に薬液を混合できることを見出した。
【０００７】
即ち、薬液を収容する薬液タンク、薬液タンク内を外気と連通させる空気孔及び薬液吐出孔からなる薬液吐出容器であって、薬液吐出孔が弁体を備え、該弁体が、水洗トイレの貯水タンク内の水位の変化により該貯水タンク内で昇降する浮きに紐状部材で繋がれ、該浮きの昇降に伴って開閉する薬液吐出容器を提供する。
【０００８】
また、本発明は、かかる薬液吐出容器の薬液タンクに薬液が収容されてなる薬液吐出具を提供する。
【０００９】
【発明の実施の形態】
以下、図面を参照しつつ、本発明を詳細に説明する。なお、各図中、同一符号は同一または同等の構成要素を表している。
【００１０】
図１は、本発明の一態様の薬液吐出容器１００Ａの斜視図（ａ）及び下視図（ｂ）であり、図２はその断面図、図３はその構成部品の断面図である。
【００１１】
この薬液吐出容器１００Ａは、トイレ用芳香剤、洗浄剤、殺菌剤等の薬液を収容する薬液タンク１と、薬液タンク１の底部開口部２の周壁３に螺合し、薬液タンク１に着脱自在に取り付けられるノズルキャップ４を備えている。
【００１２】
ノズルキャップ４の中央部には、薬液吐出ノズル５が突出しており、薬液吐出ノズル５の先端には薬液吐出孔６が開口している。ここで、薬液吐出孔６の孔径は、洗浄に必要な薬液を吐出させる点から０．５ｍｍ以上とすることが好ましく、洗浄に必要以上の薬液を吐出させない点から３ｍｍ以下とすることが好ましい。
【００１３】
また、ノズルキャップ４には、薬液タンク１に取り付けられた状態で薬液タンク１の底面をなす部位に、薬液タンク１の内部方向に空気流入筒７が起立し、その先端７ａは、薬液タンク１の内天面近傍に達している。空気流入筒７は、薬液タンク１内を外気と連通させることにより、薬液の吐出にかかわらず、薬液タンク１内を常圧に維持する空気孔として設けられている。
【００１４】
空気流入筒７の高さＬ１  は、薬液タンク１内に充たされた状態で、空気流入筒７の先端７ａが薬液面上にあるようにする限り、特に制限はない。
【００１５】
一方、薬液吐出容器１００Ａを貯水タンクに設置する際の揺れ等により空気流入筒７の先端７ａに薬液がかかり、そこに液膜が生じた場合でも、その液膜が速やかに壊れ、薬液吐出容器１００Ａの設置後には良好な薬剤吐出性が確保されるようにする点から、空気流入筒７の孔径Ｌ２  は１ｍｍ以上とすることが好ましい。また、薬液吐出容器１００Ａを貯水タンクに設置する際に揺れ等が生じても、空気流入筒７内に薬液を侵入し難くする点から１０ｍｍ以下とすることが好ましい。
【００１６】
ノズルキャップ４の側面と底面には窓８が開口し、さらに、底面には足９が形成されている。
【００１７】
薬液吐出孔６には弁体１０Ａが備えられている。弁体１０Ａは、薬液吐出孔６に対向するシール材１１、シール材の保持部材１２、外筒１３及びバネ材１４からなる。外筒１３は、薬液吐出孔６、シール材１１及び保持部材１２を囲むようにノズルキャップ４に取り付けられている。外筒１３の内部では、一端１３ａにバネ材１４の下端が固定され、バネ材１４によって、保持部材１２が薬液吐出孔６の方向に付勢されている。
【００１８】
ここで、シール材１１としては、一般に、液体の密封に使用されるゴム製のパッキング材等を使用することができる。
【００１９】
保持部材１２には、棒状の浮き２０Ａが紐状部材２１で繋がれている。この浮き２０Ａは水中に沈まない材料から形成する。また、浮き２０Ａは、水洗トイレの貯水タンク内で水から離れて保持部材１２に吊された状態において、バネ材１４を縮めることができる程度の重量とする。
【００２０】
この薬液吐出容器１００Ａは、図３に示すように、薬液タンク１、ノズルキャップ４、弁体１０Ａ、紐状部材２１、及び浮き２０Ａを組み合わせることにより構成できる。したがって、構造が簡易であり、部品点数が少なく、ローコストに得ることができる。
【００２１】
一方、薬液タンク１内に収容する薬液としては、種々の芳香剤、洗浄剤、殺菌剤等の溶液を使用することができるが、特に、粘度３０〜５００ｍｐａｓ、薬液比重１〜１．２ｇ／ｃｍ３に調整したものが好ましい。
【００２２】
薬液タンク１内に薬液を充填することにより、本発明の薬液吐出具となる。
【００２３】
薬液吐出容器１００Ａの使用方法としては、図４（ａ）に示すように、まず、薬液Ａが薬液タンク１に充填されている状態において、水洗トイレの手洗い付貯水タンク３０の手洗い部３１に載置する。この場合、薬液吐出ノズル５を貯水タンク３０の吸水口３２に挿入し、浮き２０Ａを貯水タンク３０内の水Ｗに浮かせる。
【００２４】
この状態では、バネ材１４に浮き２０Ａの重さがかかっていないため、バネ材１４によってシール材１１は薬液吐出孔６に押し付けられ、薬液吐出孔６は完全に閉ざされている。
【００２５】
図４（ｂ）に示すように、水洗トイレの水をフラッシュし、貯水タンク３０内の水Ｗの水位が低下すると、浮き２０Ａは、水Ｗから離れて保持部材１２に吊された状態となる。したがって、浮き２０Ａの重さによりバネ材１４が縮められ、薬液吐出孔６とシール材１１との間が開口し、薬液タンク１から薬液Ａが吐出される。吐出された薬液Ａは、カラン３３から給水され、吸水口３２から流入した水Ｗと共に、貯水タンク３０内に入る。
【００２６】
なお、ノズルキャップ４の側面と底面に窓８が開いていない場合には、カラン３３からの給水時に、吸水口３２に集中した水によって薬液吐出容器１００Ａが浮き上がり、吸水口３２から薬液吐出ノズル５が外れるおそれがあるが、この薬液吐出容器１００Ａによれば、ノズルキャップ４の側面と底面に窓８が開いているので、カラン３３から給水された水はノズルキャップの底板４ａの上下面を洗うように流れ、薬液吐出容器１００Ａの浮き上がりが防止される。
【００２７】
給水により、貯水タンク３０内の水位が上昇すると、浮き２０Ａが水Ｗに浮き、バネ材１４が元のようにシール材１１を薬液吐出孔６に押し付けるので、薬液吐出孔６は閉ざされ、薬液Ａは吐出されなくなる。
【００２８】
以降、同様に、水洗トイレの水がフラッシュされ、貯水タンク３０の水位が変化する度に、浮き２０Ａの昇降により弁体１０Ａが薬液吐出孔６を開閉し、薬液タンク１から確実に薬剤Ａが吐出される。
【００２９】
この薬液吐出容器１００Ａにおいて、薬液Ａの吐出量は、紐状部材２１の長さを変えて浮き２０Ａが保持部材１２を引き下げる時間を変え、それにより弁体１０Ａから薬液Ａが吐出する時間を変えることにより調整することができる。この他、薬液Ａの吐出量は、薬液吐出孔６の孔径によっても制御することができ、また、薬液Ａの粘度によっても変わる。
【００３０】
図５は、異なる本発明の薬液吐出容器１００Ｂの断面図であり、図６はその構成部品の断面図である。また、図７は薬液吐出容器１００Ｂの薬液吐出孔６に備えられている弁体１０Ｂの切り欠き図と上視図である。
【００３１】
この薬液吐出容器１００Ｂは、浮きの昇降により開閉する弁体１０Ｂとして、図７（ａ−１）の切り欠き図及び同図（ａ−２）の上視図に示すように、底部に円弧状のスリット１５を入れた有底筒状の弁体であって、同図（ｂ）に矢印で示すように力を加えることにより、底部中央部１６が引き下げられ、その力を解除することにより底部が元の形状に戻るものを設けている点が前述の薬液吐出容器１００Ａと異なり、その他の符号が同じ部分は同様の形態である。
【００３２】
弁体１０Ｂは、底部中央部１６を引き下げる力がかからない状態において、薬液吐出容器１００Ｂの薬液吐出孔６を底部中央部１６で密封できるように、薬液吐出ノズル５に取り付けられている。
【００３３】
この薬液吐出容器１００Ｂは、前述の薬液吐出容器１００Ａと同様に水洗トイレの手洗い付貯水タンク３０の手洗い部に載置して用いられる。したがって、図８（ａ）に示すように、ボール状の浮き２０Ｂが貯水タンク３０内の水Ｗに浮き、弁体１０Ｂに浮き２０Ｂの重さがかかっていないときには、弁体１０Ｂの底部中央部１６が薬液吐出孔６を閉じるので、薬液Ａは吐出されない。
【００３４】
一方、図８（ｂ）に示すように、水洗トイレの水をフラッシュし、貯水タンク３０内の水Ｗの水位が低下すると、浮き２０Ｂは、水Ｗから離れて弁体１０Ｂに吊された状態となり、浮き２０Ｂの重さにより弁体１０Ｂの底部中央部１６が引き下げられ、薬液吐出孔６と底部中央部１６とが開口し、薬液タンク１から薬液Ａが吐出され、吐出された薬液Ａは、スリット１５を通って弁体外に流出し、カラン３３から給水された水Ｗと共に、貯水タンク３０内に入る。
【００３５】
したがって、この薬液吐出容器１００Ｂにおいても、水洗トイレの水がフラッシュされ、貯水タンク３０の水位が変化する度に、浮き２０Ｂの昇降により弁体１０Ｂが開閉し、薬液タンク１から薬液Ａが吐出される。
【００３６】
図９は、さらに異なる本発明の薬液吐出容器１００Ｃの使用状態の説明図である。この薬液吐出容器１００Ｃは、図７の弁体１０Ｂを備えている点では前述の薬液吐出容器１００Ｂと同様であるが、薬液タンク１を貯水タンク３０内に掛止する掛止部材１７を備えている点が異なっている。
【００３７】
この掛止部材１７は、一端で薬液タンク１を保持し、他端を貯水タンク３０の本体壁３４に掛止し、蓋３５で押さえることにより、薬液吐出容器１００Ｃを貯水タンク３０内に取り付けるものである。
【００３８】
この薬液吐出容器１００Ｃの使用時において、図９（ａ）に示すように、ボール状の浮き２０Ｂが貯水タンク３０内の水Ｗに浮き、弁体１０Ｂに浮き２０Ｂの重さがかかっていないときには、弁体１０Ｂの底部中央部１６が薬液吐出孔６を閉じるので、薬液Ａは吐出されない。
【００３９】
一方、図９（ｂ）に示すように、水洗トイレの水をフラッシュし、貯水タンク３０内の水Ｗの水位が低下すると、浮き２０Ｂが弁体１０Ｂに吊された状態となり、弁体１０Ｂの底部中央部１６が引き下げられ、薬液タンク１から薬液Ａが吐出され、吐出された薬液Ａは、スリット１５を通って貯水タンク３０内の水と混ざる。
【００４０】
したがって、この態様によれば、手洗い部のない貯水タンクにも使用することができる。
【００４１】
本発明の薬液吐出容器は、この他種々の態様をとることができる。例えば、紐状部材２１としては、紐、チェーン、棒等を使用することができる。
【００４２】
空気孔は、カランからの水を薬液タンク内に流入させず、かつ空気孔から薬液を流出させることなく、薬液タンク内を常圧にするものであればよく、空気流入筒に限られない。
【００４３】
【発明の効果】
本発明の薬液吐出容器によれば、水洗トイレの貯水タンクに設置することにより、貯水タンク内の水に、所定量の薬液を安定的に混合させることができる。
【００４４】
また、この薬液吐出容器は、構造が簡易であり、部品点数が少なく、ローコストに得ることができる。
【図面の簡単な説明】
【図１】薬液吐出容器の斜視図（ａ）及び下視図（ｂ）である。
【図２】薬液吐出容器の断面図である。
【図３】薬液吐出容器の構成部品の断面図である。
【図４】薬液吐出容器の使用状態の説明図である。
【図５】薬液吐出容器の断面図である。
【図６】薬液吐出容器の構成部品の断面図である。
【図７】弁体の切り欠き図と上視図である。
【図８】薬液吐出容器の使用状態の説明図である。
【図９】薬液吐出容器の使用状態の説明図である。
【符号の説明】
１    薬液タンク
４    ノズルキャップ
５    薬液吐出ノズル
６    薬液吐出孔
７    空気流入筒
１０Ａ、１０Ｂ  弁体
１１    シール材
１２    シール材の保持部材
１３    外筒
１４    バネ材
１７    掛止部材
２０Ａ、２０Ｂ    浮き
２１    紐状部材
３０    貯水タンク
３１    手洗い部
３３    カラン
１００Ａ、１００Ｂ、１００Ｃ  薬液吐出容器
【図１】
2004183308.tif 000003
【図２】
2004183308.tif 000004
【図３】
2004183308.tif 000005
【図４】
2004183308.tif 000006
【図５】
2004183308.tif 000007
【図６】
2004183308.tif 000008
【図７】
2004183308.tif 000009
【図８】
2004183308.tif 000010
【図９】
2004183308.tif 000011